(57)【要約】【課題】葉書を作成する際に糊付けを行なう必要がなく、葉書作成用紙で作成された葉書に記入された個人情報を、外部から認識できないようにした控え用紙付き葉書用紙。【解決手段】矩形状を有する第１シート状基材上に、前記第１シート状基材の３分の２の横幅寸法を有する第２シート状基材が、それぞれ右側端辺で合わされた状態で重ね合わされ接着され、前記第１シート状基材の第１基材片の表面上には、発色剤層が設けられ、第２基材片の表面上には、粘着剤層が設けられ、前記第３基材片の表面上の外周縁の領域に、粘着剤層が設けられ、前記第２シート状基材には、２等分する位置に切り込みが形成され、第４基材片の表面上には、顕色剤層が設けられ、更に裏面上には剥離剤層が設けられ、第５基材片には、コ字状の切り込みが形成され、更に第５基材片の裏面上であって、前記コ字状に形成された切り込み部分と外周縁との間の領域に剥離剤層が設けられてなる。【選択図】        図１
2010076107.tif 000002
【特許請求の範囲】
【請求項１】
矩形状を有する第１シート状基材上に、前記第１シート状基材の３分の２の横幅寸法を有する第２シート状基材が右側端辺で合わされた状態で重ね合わされ接着されてなる控え用紙付き封書用紙であって、
前記第１シート状基材には、該第１シート状基材の横方向を３等分する位置に、左側から順番に、縦方向に対して形成された第１ミシン目と第２ミシン目とが設けられて、左側から第１基材片、第２基材片、第３基材片、の各基材片とに分割され、
前記第１シート状基材の上辺、下辺及び右辺に沿った部分と、前記第１ミシン目に沿って両側の部分と、にそれぞれ切り取りミシン目が形成され、
前記第２基材片の表面上には、粘着剤層が設けられ、
前記第３基材片の表面上であって、上辺、下辺及び右辺に沿った部分に形成された切り取りミシン目と外周縁との間の領域に、粘着剤層が設けられ、更にその他の領域には接着剤層が設けられ、
前記第２シート状基材には、該第２シート状基材の横方向を２等分する位置に、切り込みが形成されて、左側から第４基材片、第５基材片、の各基材片に分割され、
前記第１基材片の表面上及び前記第４基材片の表面上には、前記第１基材片の表面を前記第４基材片の表面に重ね合わせて、前記第１基材片の上側から記入した際に、前記第４基材片の表面に記入内容が複写される複写機能が施され、
前記第４基材片の裏面上には、剥離剤層が設けられ、
前記第５基材片には、前記第３基材片の縦横方向の各切り取りミシン目と重なる位置に、コ字状の切り込みが形成され、更に前記第５基材片の裏面上であって、前記コ字状に形成された切り込み部分と外周縁との間の領域に剥離剤層が設けられてなることを特徴とする控え用紙付き封書用紙。
【請求項２】
前記複写機能が、発色剤層と顕色剤層による組み合わせによる複写、又は、セルフ発色剤による複写、又は裏カーボンによる複写、のいずれかであることを特徴とする請求項１記載の控え用紙付き封書用紙。
【発明の詳細な説明】
【技術分野】
【０００１】
本発明は、口座振替の申込みを郵送で行なう際などに使用するための、控え用紙と、封書作成用紙とを一体化させた構成を有する控え用紙付き封書用紙に関する。
控え用紙付き封書作成用紙
【背景技術】
【０００２】
従来、口座振替の申込みを郵送で行なうには、口座振替申込葉書シートを用いるという方法があった。
この口座振替申込葉書シートは、裏面に宛名情報記入部が設けられ、また表面に口座振替に必要な事項を記入するための事項記入欄が設けられた葉書紙片と、更に、表面に、この葉書紙片の事項記入欄に必要事項を記入する際の記入要領が記載され、該表面を葉書紙片の表面に折り合わせて事項記入欄を隠蔽する隠蔽紙片とを折り部を境に連接されてなり、前記隠蔽紙片の重ね合わせ面の全体に剥離後再接着可能な接着剤を設ける一方、前記接着剤を保護するための剥離紙で形成した保護片が設けられてなる構成を有している。
【０００３】
そして、口座振替申込葉書シートから口座振替申込葉書を作成するには、隠蔽紙片の表面に記載されている記入要領を参考にしながら、葉書紙片の事項記入欄に申込者の隠蔽すべき個人情報を記入した後、隠蔽紙片の保護片を剥離し、葉書紙片の表面と、隠蔽紙片の表面と、を折り部から折り重ね合わせ、接着剤で三辺を剥離不能に接着していた。
【０００４】
上記従来の方法では、二枚の紙片を剥離可能に接着した葉書を用いて口座振替申込を行なうので、二紙片を剥離すれば申込の内容を第三者が視認可能であって、親展性に欠けるという問題があった。
【０００５】
また、他の方法として、二枚の紙片を２つに折り畳んで接着して封書を作成して口座振替申込を行なうことも知られている。（例えば、特許文献１参照）
しかしながら、２つに折り畳んだ紙片を透かして内部に記載された内容を盗み見られるという危険性もあり、この場合も親展性に欠けるという問題があった。
【０００６】
また、例えば、申込書を封書化させて郵送する場合には、申込者側が不要部分の切り取りを行い、所定部分に糊付けを行なった後に巻き折りすることで、封書を作成することができるように構成された巻き折り加工用紙などが知られている。
このような封書作成用紙を有する巻き折り用紙については、既に種々の仕様のものが知られている。（例えば、特許文献２〜５参照）
【０００７】
【特許文献１】特開平１１−１０５４６７号公報
【特許文献２】特開２００２−５４３２３号公報
【特許文献３】特開２００３−２００６８０号公報
【特許文献４】特開２００３−４３２７１５号公報
【特許文献５】特開２００６−４４０８０号公報
【０００８】
しかしながら、従来の封書作成用紙を有する用紙は、封書を作成する際に、糊代部分に顧客が自分で糊付けを行なわなければならないので不便であるという問題がある。
また、顧客が、封書作成用紙片に個人情報を直接記入した場合には、筆圧により用紙に凹凸が形成されたり、筆跡が封書の外側から透かして見えたりして、記入事項が認識しやすく、個人情報が漏洩する危険性が高いという問題がある。
【発明の開示】
【発明が解決しようとする課題】
【０００９】
そこで、本発明は、封書作成用紙から封書を作成する際に、糊代部分に顧客が自分で糊付けを行なう必要がなく、また、封書作成用紙で作成された封書に記入された個人情報を、外部から認識できない状態にして情報の漏洩を防止でき、更に、記入した内容を複写して控えておくことができる控え用紙を封書作成用紙と一体化させることで、使用者の利便性を高めた控え用紙付き封書用紙を提供する。
【課題を解決するための手段】
【００１０】
本発明の控え用紙付き封書用紙は、矩形状を有する第１シート状基材上に、前記第１シート状基材の３分の２の横幅寸法を有する第２シート状基材が右側端辺で合わされた状態で重ね合わされ接着されてなる控え用紙付き封書用紙であって、前記第１シート状基材には、該第１シート状基材の横方向を３等分する位置に、左側から順番に、縦方向に対して形成された第１ミシン目と第２ミシン目とが設けられて、左側から第１基材片、第２基材片、第３基材片、の各基材片とに分割され、前記第１シート状基材の上辺、下辺及び右辺に沿った部分と、前記第１ミシン目に沿って両側の部分と、にそれぞれ切り取りミシン目が形成され、前記第２基材片の表面上には、粘着剤層が設けられ、前記第３基材片の表面上であって、上辺、下辺及び右辺に沿った部分に形成された切り取りミシン目と外周縁との間の領域に、粘着剤層が設けられ、更にその他の領域には接着剤層が設けられ、前記第２シート状基材には、該第２シート状基材の横方向を２等分する位置に、切り込みが形成されて、左側から第４基材片、第５基材片、の各基材片に分割され、前記第１基材片の表面上及び前記第４基材片の表面上には、前記第１基材片の表面を前記第４基材片の表面に重ね合わせて、前記第１基材片の上側から記入した際に、前記第４基材片の表面に記入内容が複写される複写機能が施され、前記第４基材片の裏面上には、剥離剤層が設けられ、
前記第５基材片には、前記第３基材片の縦横方向の各切り取りミシン目と重なる位置に、コ字状の切り込みが形成され、更に前記第５基材片の裏面上であって、前記コ字状に形成された切り込み部分と外周縁との間の領域に剥離剤層が設けられてなることを特徴とする。
【００１１】
また、本発明の控え用紙付き封書用紙は、前記複写機能が、発色剤層と顕色剤層による組み合わせによる複写、又は、セルフ発色剤による複写、又は裏カーボンによる複写、のいずれかであることを特徴とする。
【発明の効果】
【００１２】
本発明の控え用紙付き封書用紙は、予め封書を作成する際に接着するための粘着剤がシート基材の所定部分に塗布されているので、封書作成用紙から封書を作成する際に、糊代部分に顧客が自分で糊付けを行なう必要がなく、また、作成された封書が、使用者の記入面に対して２枚のシート状基材が重ねられた構成となっているので、封書に記入された個人情報が外部から認識できない状態とすることができて情報の漏洩を防止でき、更に、記入した内容を複写可能とすると共に、複写させた控え用紙を剥離することができるので、使用者の利便性を高めることができるという効果がある。
【発明を実施するための最良の形態】
【００１３】
以下、本発明の実施形態に係る控え用紙付き封書用紙を図面に基づいて詳細に説明する。
図１には、本発明の実施形態に係る控え用紙付き封書用紙の斜視図、図２には、図１のＡ−Ａ線断面図、図３には、本発明の実施形態に係る控え用紙付き封書用紙を構成する各用紙を分離させた状態を示す平面図が示されている。
図１及び図２に示すように、本発明の実施形態に係る控え用紙付き封書用紙１は、矩形状を有する第１シート状基材２上に、その第１シート状基材２の３分の２の横幅寸法を有する第２シート状基材３が、それぞれシート状基材の右側端辺で合わされた状態で重ね合わされて、所定の部分で接着されている。
【００１４】
図３に示すように、第１シート状基材２には、該第１シート状基材２の横方向を３等分する位置に、縦方向に形成されたミシン目として、第１ミシン目４と第２ミシン目５とが左側から順番に形成されている。
そして、第１シート状基材２は、第１ミシン目４と第２ミシン目５とにより、左側から順番に、第１基材片２ａ、第２基材片２ｂ、第３基材片２ｃ、の各基材片に分けられる。
これらの各基材片の中で第２基材片２ｂは、控え用紙付き封書用紙１の使用者が記入した内容を保管するための控え用紙となる。
第１シート状基材２の上辺、下辺及び右辺に沿った部分と、前記第１ミシン目４に沿ったミシン目の両側の部分と、にそれぞれ切り取りミシン目６，７，８，９，１０が縦横方向に形成されている。
【００１５】
また、第１シート状基材２の第１基材片２ａの表面上には、発色剤層１１が設けられている。
第１シート状基材２の第２基材片２ｂの表面上には、粘着剤層１２が設けられている。
第１シート状基材２の第３基材片２ｃの表面上であって、上辺、下辺及び右辺に沿った部分に形成された切り取りミシン目６，７と外周縁との間の領域には、粘着剤層１３が設けられている。
更に、第１シート状基材２の第３基材片２ｃの表面上であって、粘着剤層１３が設けられた領域以外の他の領域には接着剤層１７が設けられている。
【００１６】
また、第２シート状基材３には、該第２シート状基材３の横方向を２等分する位置に、縦方向の切り込み１４が形成されている。
第２シート状基材３は、その縦方向の切り込み１４により、左側から第４基材片３ａ、第５基材片３ｂ、の各基材片に分けられる。
そして、第２シート状基材３の第４基材片３ａの表面上には、顕色剤層１５が設けられ、また裏面上には、剥離剤層１６が設けられている。
【００１７】
上記の実施形態の説明では、第１シート状基材２の第１基材片２ａの表面上に発色剤層１１が設けられ、また、前記第４基材片３ａの表面上に顕色剤層１５が設けられていることで、折り畳まれた第１基材片２ａの上側から記入した内容が、第４基材片３ａの表面に複写される場合について記載したが、これに限らず、前記第１基材片２ａの表面上及び前記第４基材片３ａの表面上には、前記第１基材片２ａの表面を前記第４基材片３ａの表面に重ね合わせて、前記第１基材片２ａの上側から記入した際に、前記第４基材片３ａの表面に記入内容が複写される複写機能が施されていればよい。
これらの複写機能としては、例えば、発色剤層と顕色剤層による組み合わせによる複写、又は、セルフ発色剤による複写、又は裏カーボンによる複写、などがある。
また、第２シート状基材３の第５基材片３ｂには、第１シート状基材２の第３基材片３ｃの縦横方向の各切り取りミシン目と重なる位置に、コ字状の切り込み１８が形成されている。
更に、第２シート状基材３の第５基材片３ｂの裏面上であって、コ字状に形成された切り込み１８の部分と外周縁との間の領域には、剥離剤層１９が設けられている。
【００１８】
そして、図２に示すように、第１シート状基材２が第２シート状基材３の上側に重ねられた状態で、第１シート状基材２の第３基材片２ｃの表面上に設けられた接着剤層１７によって、第２シート状基材３の第５基材片３ｂと接着されている。
また、第１シート状基材２の第３基材片２ｃの表面上に設けられた粘着剤層１３は、第２シート状基材３の第５基材片３ｂの所定部分に設けられた剥離剤層１９に重合されて、粘着剤層１３の粘着剤が剥離剤層１９に対して剥離可能な状態で貼付されている。
更に、第１シート状基材２の第２基材片２ｂの表面上に設けられた粘着剤層１２は、第１シート状基材２の第４基材片３ａの裏面上に設けられた剥離剤層１６に重合されて、粘着剤層１２の粘着剤が剥離剤層１６に対して剥離可能な状態で貼付されている。
【００１９】
次に、本発明の実施形態に係る控え用紙付き封書用紙１の使用方法を、図４に基づいて説明する。
まず、控え用紙付き封書用紙１の使用者は、図４（ａ）に示すように、第１シート状基材２の第１基材片２ａを第１ミシン目４から折り畳んで、第２シート状基材３の第４基材片３ａの上側に重ねる。
次に、図４（ｂ）に示すように、第４基材片３ａの上側に重ねられた第１基材片２ａの上面に、ボールペン等の筆記具を用いて必要事項の記入を行なう。
第１基材片２ａの上面に記入された必要事項は、第１基材片２ａの一方の面に設けられた発色剤層１１と、第４基材片３ａの一方の面に設けられた顕色剤層１５と、による複写方式により、第４基材片３ａの上面に複写記入される。
上記の記入が終わった後に、第４基材片３ａの上面に折り畳んだ第１基材片２ａを、再度折り畳む前の状態に戻す。
【００２０】
次に、図４（ｃ）に示すように、第４基材片３ａを第１シート状基材２の第２基材片２ｂの上側から剥離させる。
第４基材片３ａの裏面には、剥離剤層１６が設けられているので、第４基材片３ａの一端部分を摘んで引き上げることで、第２基材片２ｂの上面に設けられている粘着剤層１２から剥離させることができる。
更に、第５基材片３ｂの中で、コ字状に形成されている切り込み１８で区画される外周側の部分を第３基材片２ｃの上面から剥離させる。
これにより、第３基材片２ｃの上側に設けられている粘着剤層１３の粘着剤が表出される。
【００２１】
次に、図４（ｄ）に示すように、第１シート状基材２の第１基材片２ａを第１ミシン目４から折り畳んで、第１シート状基材２の第２基材片２ｂの上側に重ねることで、第２基材片２ｂの上面に設けられている粘着剤層１２の粘着剤で、第１基材片２ａと第２基材片２ｂとを貼り合わせる。
【００２２】
次に、図４（ｅ）に示すように、第１シート状基材２の第３基材片２ｃと、第２シート状基材３の第５基材片３ｂとが重ね合わされている部分を、第２ミシン目５から折り畳んで、第１シート状基材２の第１基材片２ａの上側に重ね合わせる。
以上の手順により、密封された封書を作成する。
【００２３】
上記のように、本発明の控え用紙付き封書作成用紙は、封書作成用紙から封書を作成する際に、糊代部分に顧客が自分で糊付けを行なう必要がなく、また、封書作成用紙で作成された封書に記入された個人情報を、外部から認識できない状態にして情報の漏洩を防止でき、更に、記入した内容を複写して控えておくことができる控え用紙を封書作成用紙と一体化させることで、使用者の利便性を高めることができる。
【図面の簡単な説明】
【００２４】
【図１】本発明の実施形態に係る控え用紙付き封書用紙の斜視図である。
【図２】図１のＡ−Ａ線断面図である。
【図３】本発明の実施形態に係る控え用紙付き封書用紙を構成する各用紙を分離させた状態を示す平面図である。
【図４】本発明の実施形態に係る控え用紙付き封書作成用紙の使用方法を説明するための図である。
【符号の説明】
【００２５】
１  控え用紙付き封書作成用紙
２  第１のシート状基材
２ａ  第１基材片
２ｂ  第２基材片
２ｃ  第３基材片
３  第２のシート状基材
３ａ  第４基材片
３ｂ  第５基材片
６，７，８，９，１０  切り取りミシン目
１１  発色剤層
１２，１３  粘着剤層
１４，１８  切り込み
１５  顕色剤層
１６，１９  剥離剤層
１７  接着剤層
【図１】
2010076107.tif 000003
【図２】
2010076107.tif 000004
【図３】
2010076107.tif 000005
【図４】
2010076107.tif 000006